(57)【要約】【課題】折り返し型の蛍光ランプの折り返し部の遮光構造を提供する。【解決手段】ランプ・ハウス１０１には、折り返し型の蛍光ランプ１０３が収納されている。ランプ・サポート２００は、把持部２０３ａと板状に形成された遮光部２０１を含む。把持部は、蛍光ランプの折り返し部１０３ａを嵌め込んで固定する。遮光部２０１は蛍光ランプの直線部１０３ｂ、１０３ｃの間に配置され、ランプ・ハウスの側面１０１ｂに向かって傾斜している。遮光部２０１は、折り返し部がアレイ・セル基板に放射する光を遮光する。【選択図】図２
2011065757.tif 000002
【特許請求の範囲】
【請求項１】
フラット・パネル・ディスプレイに使用するバックライトにおける蛍光ランプの遮光構造であって、
底面と側面を備えるランプ・ハウスと、
前記ランプ・ハウスに収納され、折り返し部と該折り返し部に連絡する第１の直線部と第２の直線部を備える折り返し型の蛍光ランプと、
前記底面に固定され、前記蛍光ランプを嵌め込んで固定する把持部と、前記第１の直線部と前記第２の直線部との間に配置され前記折り返し部から放射される光が前記フラット・パネル・ディスプレイに与える影響を除去する遮光部とを有するランプ・サポートと
を有する遮光構造。
【請求項２】
前記把持部は前記折り返し部を嵌め込んで固定する請求項１に記載の遮光構造。
【請求項３】
前記把持部は前記折り返し部近くの前記直線部を嵌め込んで固定する請求項１に記載の遮光構造。
【請求項４】
前記遮光部は、板状の部材が前記側面方向に傾斜するように形成されている請求項１から請求項３のいずれかに記載の遮光構造。
【請求項５】
前記遮光部は、板状の部材が前記底面に対して垂直な垂直部分と、該垂直部分に連絡し前記側面方向に傾斜する傾斜部分を有するように形成されている請求項１から請求項３のいずれかに記載の遮光構造。
【請求項６】
前記遮光部は、前記底面に対して垂直な垂直部分と、該垂直部分に連絡し前記側面方向に水平に延びる水平部分を有するように形成されている請求項１から請求項３のいずれかに記載の遮光構造。
【請求項７】
前記ランプ・ハウスに取り付けられた拡散板と、
前記拡散板に積層された光学シートと
請求項１から請求項６のいずれかに記載された遮光構造と
を有するバックライト。
【請求項８】
アレイ・セル基板と
請求項７に記載されたバックライトと
を備える液晶表示装置。
【発明の詳細な説明】
【技術分野】
【０００１】
本発明は、フラット・パネル・ディスプレイに使用するバックライトにおける蛍光ランプの一部からの光を遮光する遮光構造に関し、さらに詳細には、折り返し型蛍光ランプの折り返し部からの光を遮光する遮光構造に関する。
【背景技術】
【０００２】
非発光型フラット・パネル・ディスプレイの典型である液晶表示装置は、画面を表示するための光源としてバックライトを使用する。バックライトはアレイ・セル基板に対する光源の位置によりサイドエッジ型と直下型に分類することができる。直下型バックライトは、内部に反射板が施されたランプ・ハウスと、そこに収納された複数の蛍光ランプと拡散板と光学シートなどで構成されており、アレイ・セル基板の表示面とは逆の裏面に取り付けられて液晶表示装置の一部を構成する。蛍光ランプは、液晶表示装置を移動するときや据え付け状態で振動が生じたときでも安定してランプ・ハウスに保持しておく必要がある。
【０００３】
蛍光ランプには、棒状の発光部の両端に電極を形成した直線型と、Ｕ字を形成するように発光部の中央で折り返したＵ字形または折り返し型といわれるものがある。折り返し型は直線型に比べて発光部の本数に対する電極の数が半分になるため、電源供給部品の点数が減り組み立ても容易になるといった利点があるため、多くのバックライトに使用されている。バックライトは、アレイ・セル基板に対してできるだけ均一な輝度で光を照射する必要があるが、折り返し部の管軸方向は主たる光源となる直線部の管軸方向とは異なるため配光特性が変化してアレイ・セル基板に輝度ムラとして現れる。輝度ムラは蛍光ランプの電極近辺にも現れる。
【０００４】
アレイ・セル基板の端部に生ずる輝度ムラを改善するために、従来はサイド・フレームという遮光板をランプ・ハウスに設けていた。図４に従来のサイド・フレームを使ったバックライトの遮光構造を示す。図４（Ａ）は拡散板および光学シートを取り除いた状態の平面図で、図４（Ｂ）は図４（Ａ）からサイド・フレーム１５、１７を取り除いた平面図で、図４（Ｃ）は、図４（Ａ）のＡ−Ａ矢視からみた蛍光ランプの折り返し部近辺の側面を示す断面図である。図４（Ａ）、（Ｂ）ではランプ・ハウス１１に３個の折り返し型の蛍光ランプ１３が収納されている。蛍光ランプ１３は発光する光を有効に活用する部分である直線部１３ａが中央でランプ・サポート１９に嵌め込まれて固定され、発光する光を遮光する部分である折り返し部１３ｂがランプ・サポート２３に嵌め込まれて固定されている。
【０００５】
直線部１３ａ、１３ｂの先端に設けられた電極はそれぞれコネクタ２１、２３に接続されている。サイド・フレーム１５、１７は、直線部１３ａ、１３ｂが通過する切り欠き部１５ａ、１５ｂ、１７ａ、１７ｂ以外の部分では、アレイ・セル基板側から折り返し部１３ｂやコネクタ２１、２３が見えないようになっている。したがって、折り返し部１３ｂから放射された光は、アレイ・セル基板には到達しない。特許文献１は、折り返し型蛍光ランプの折り返し部をランプフレームで覆って遮光することで液晶パネルを均一な輝度分布で照明する表示装置用照明装置を開示する。特許文献２は、折り返し型蛍光ランプの屈曲部での輝度分布を均一にするための遮光方法を開示する。同文献の方法は、蛍光ランプの屈曲部側の側板に屈曲部保持部材を設け、この屈曲部保持部材によって屈曲部を上側から保持するとともに屈曲部からの光を遮光する構造を開示する。
【先行技術文献】
【特許文献】
【０００６】
【特許文献１】国際公開２００５−６６７０４号公報
【特許文献２】特開２００６−１６４８３９号公報
【発明の概要】
【発明が解決しようとする課題】
【０００７】
近年、バックライトのコストを低減するために、サイド・フレームを除去することが検討されている。サイド・フレームには、蛍光ランプの端部の遮光機能、アレイ・セル基板、拡散板および光学シートに対する台座機能、およびコネクタを押さえ込んで固定する機能などがあるが、折り返し部の遮光機能をサイド・フレームに依存しないで簡単に実現できれば、折り返し部側のサイド・フレームを省くことができるようになる。
【０００８】
そこで本発明の目的は、バックライトにおける折り返し型の蛍光ランプの折り返し部の遮光構造を提供することにある。さらに本発明の目的は、部品点数を削減した遮光構造を提供することにある。さらに本発明の目的は、簡易な構造の遮光構造を提供することにある。さらに本発明の目的は、そのような遮光構造を採用したバックライトおよび液晶表示装置を提供することにある。
【課題を解決するための手段】
【０００９】
本発明は、フラット・パネル・ディスプレイに使用するバックライトにおける折り返し型の蛍光ランプの遮光構造を提供する。蛍光ランプは折り返し部に連絡する第１の直線部と第２の直線部を備える。ランプ・サポートは、蛍光ランプを嵌め込んでランプ・ハウスの底面に固定する把持部と、第１の直線部と第２の直線部との間に配置され、折り返し部からの光を遮光する遮光部とを有する。したがって、ランプ・サポートが遮光構造を兼ねることで部品点数を減らすことができる。また、従来のランプ・サポートよりも簡易な構造にすることができる。
【００１０】
把持部は蛍光ランプの折り返し部を嵌め込むようにしてもよいし、折り返し部近くの直線部を嵌め込むようにしてもよい。遮光部は板状の部材が、ランプ・ハウスの側面方向に傾斜するように形成することができる。また、遮光部は板状の部材がランプ・ハウスの底面に対して垂直な垂直部分と、垂直部分に連絡し側面方向に傾斜する傾斜部分を有するように形成してもよい。さらに遮光部は、ランプ・ハウスの底面に対して垂直な垂直部分と、垂直部分に連絡し側面方向に水平に延びる水平部分を有するように形成してもよい。
【発明の効果】
【００１１】
本発明により、バックライトにおける折り返し型の蛍光ランプの折り返し部の遮光構造を提供することができた。さらに本発明により、部品点数を削減した遮光構造を提供することができた。さらに本発明により、簡易な構造の遮光構造を提供することができた。さらに本発明により、そのような遮光構造を採用したバックライトおよび液晶表示装置を提供することができた。
【図面の簡単な説明】
【００１２】
【図１】本実施の形態にかかる直下型バックライト方式の液晶表示装置の概略の側面図である。
【図２】本実施の形態にかかる蛍光ランプの遮光構造を示す図である。
【図３】本実施の形態にかかる遮光構造の他の例を示す図である。
【図４】サイド・フレームを使った従来のバックライトの遮光構造を示す。
【発明を実施するための形態】
【００１３】
本明細書の全体を通じて、同一の要素には同一の参照番号を付与して説明を省略することにする。図１は、本実施の形態にかかる直下型バックライト方式の液晶表示装置の概略の側面図である。液晶表示装置６１は、アレイ・セル基板５１とバックライト５９で構成されている。アレイ・セル基板５１は、平行に対向して配置されたアレイ基板とカラー・フィルター（ＣＦ）基板の間に形成されたセル・ギャップの内部に液晶材料が封じ込められている。アレイ・セル基板５１は、アクティブ・マトリクス方式に対応しており、走査線駆動用ＩＣチップおよびデータ線駆動用ＩＣチップ（いずれも図示せず。）を含んでいる。バックライト５９は、内面に反射シートを備えるランプ・ハウス１０１に蛍光ランプを収納し、光の放出面には拡散板５５と光学シート５３が設けられている。
【００１４】
図２は、本実施の形態にかかる蛍光ランプの遮光構造を示す図である。図２（Ａ）は、フラット・ディスプレイ・パネル５１、光学シート５３、および拡散板５５を取り除いた状態のバックライト５９の平面図で、図２（Ｂ）は図２（Ａ）のＡ−Ａ矢視からみたアレイ・セル基板５１、光学シート５３、および拡散板５５を含む部分的な側面の断面図である。ランプ・ハウス１０１は底面１０１ａ、側面１０１ｂ、および折曲部１０１ｃを含んでおり金属板をプレス加工して形成することができる。アレイ・セル基板５１は折曲部１０１ｃに固定され、光学シート５３および拡散板５５は図示しない支持部材で側面１０１ｂに固定される。
【００１５】
ランプ・ハウス１０１には、３個の折り返し型の蛍光ランプ１０３が収納されている。蛍光ランプ１０３は、折り返し部１０３aの両側に直線部１０３ｂ、１０３ｃが連絡している。直線部１０３ｂ、１０３ｃの先端にはそれぞれ電極が形成されており、各電極はコネクタ１２１、１２３に接続されている。コネクタ１２１、１２３の端子は、ランプ・ハウス１０１の裏面に設けられたインバータ用の回路基板に接続されている。折り返し部１０３ａはランプ・サポート２００によりランプ・ハウス１０１の底面１０１ａに固定されている。蛍光ランプ１０３は、さらに直線部１０３ｂ、１０３ｃの中央部がランプ・サポート１１９、１２０の把持部に嵌め込まれて底面１０１ａに固定される。蛍光ランプ１０３は、コネクタ１２１、１２３およびランプ・サポート１１９、１２０、２００によりランプ・ハウスの底面１０１ａから所定の間隔を空けて底面１０１ａに平行に保持されている。
【００１６】
ランプ・サポート２００は、台座部２０５、把持部２０３ａ、突起部２０７、および遮光部２０１で構成されている。ランプ・サポート２００はプラスチックを原料として射出成形や押出成形などで一体成形することができる。ランプ・サポート２００は、台座部２０５に連絡する突起部２０７を底面１０１ａに形成された開口に挿入して固定することができる。台座部２０５からは把持部２０３ａがアレイ・セル基板５１の方向に延びている。折り返し部１０３ａは、把持部２０３ａに嵌め込まれて固定される。
【００１７】
折り返し部１０３ａの近辺では、直線部１０３ａと１０３ｂとの間に配置された遮光部２０１が台座部２０５から、ランプ・ハウス１０１の側面１０１ｂの方向に向かって傾斜して延びている。遮光部２０１は板状に成形されており、折り返し部１０３ａからアレイ・セル基板５１の方向へ放射された光を遮光する。したがって、アレイ・セル基板５１は、直線部１０３ｂ、１０３ｃとは配向分布の異なる折り返し部１０３ａからの光の影響を受けないので、端部での表示品質を維持することができる。３つの蛍光ランプ１０３は、いずれも同じ構造でランプ・サポート２００により折り返し部１０３ａが固定および遮光される。
【００１８】
図３は、ランプ・サポートの他の構造を示す図である。図３（Ａ）は平面図で、図３（Ｂ）、（Ｃ）は断面図である。図３（Ａ）のランプ・サポート３００は、ランプ・サポート２００と同様に台座部３０５および遮光部３０１を備えているが、２個の把持部３０３ａ、３０４ａが設けられている点が異なる。把持部３０３ａと把持部３０４ａは折り返し部１０３ａのすぐ近辺の直線部１０３ｂ、１０３ｃをそれぞれ嵌め込んで固定することができる。
【００１９】
図３（Ｂ）のランプ・サポート４００は、直線部１０３ａ、１０３ｂの間に配置された板状の遮光部４０１が、台座部４０５から底面１０１ａに垂直に延びさらにその先が側面１０１ｂに向かって傾斜して延びている。ランプ・サポート５００は、直線部１０３ａ、１０３ｂの間に配置された板状の遮光部５０１が、台座部５０５から底面１０１ａに垂直に延びさらにその先が側面１０１ｂに向かって底面１０１ａに平行に延びている。ランプ・サポート４００、５００からは、把持部を省略しているが、把持部は図２または図３（Ａ）に示した構造のものを採用することができる。本実施の形態では蛍光ランプ１０３の折り返し部１０３ａの遮光とランプ・ハウス１０１の底面１０１ａに対する固定を兼ねたランプ・サポート２００、３００、４００、５００を使用することで、従来のサイド・フレームを除去することができる。
【００２０】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００２１】
５１…アレイ・セル基板
５９…バックライト
６１…液晶表示装置
１０１…ランプ・ハウス
１０３…折り返し型の蛍光ランプ
１０３ａ…折り返し部
１０３ｂ、１０３ｃ…直線部
ランプ・サポート…１０９、２００、３００、４００、５００
遮光部…２０１、３０１、４０１、５０１
把持部…２０３ａ、３０３ａ
【図１】
2011065757.tif 000003
【図２】
2011065757.tif 000004
【図３】
2011065757.tif 000005
【図４】
2011065757.tif 000006